(57)【要約】【課題】金属製の軸体，棒状体などの被収納物を箱体に収納して輸送する際、その被収納物を箱体内に移動不能に固定でき、且つ簡単な構造で安価に提供し得る新規な紙製固定具を提供する。【解決手段】左右の掛止板７，７’により、箱体の対向する内面間にわたって固定される壁部１０に、被収納物の中途部が嵌合する固定孔２０を備えた紙製固定具ａとした。壁部１０及び掛止板７，７’を、一枚の紙製基材ａ’の要所の折り曲げと貼り着けにより形成すると共に、左右の外面板３，３’の内側に左右の内面板５，５’を折り込むことで発生する板紙の反発力を有効に利用して、壁部１０の剛性を向上させることができる。【選択図】  図２
2005320053.tif 000002
【特許請求の範囲】
【請求項１】
一枚の紙製基材（ａ’）の要所の折り曲げと貼り着けにより組み立てられ、箱体（１００）の対向する内面（１０１，１０１’）間にわたって装着されて、該箱体に収納される被収納物（２００）を移動不能に固定する紙製固定具であって、
上面板（１）と、該上面板の左右両縁に折線（２，２’）を介して各々連設された左右の外面板（３，３’）と、夫々の外面板の外縁に折線（４，４’）を介して各々連設された左右の内面板（５，５’）と、前記夫々の外面板又は内面板の両側に折線（６，６’）を介して各々連設された左右の掛止板（７，７’）と、
前記一方の外面板（３）の中途部から前記上面板（１）を横切って前記他方の外面板（３’）の中途部に至る第一の開口部（８）と、前記左右の内面板における前記第一の開口部と対向する位置に各々形成された第二の開口部（９，９’）とを備え、
前記左右の内面板（５，５’）を折線（４，４’）に沿って折り曲げて前記左右の外面板と重ね合わせ、且つこれら内面板が内側になるよう前記左右の外面板（３，３’）を折線（２，２’）に沿って折り曲げると共に、対向する左右の内面板（５，５’）同士を貼り合わせて、前記上面板（１）の下方に前記各外面板（３，３’）及び内面板（５，５’）からなる四重構造の壁部（１０）を形成すると共に、
前記第一及び第二の開口部（８，９，９’）により、前記箱体に収納される被収納物（２００）の中途部（２０１）が嵌合する固定孔（２０）を形成し、
さらに、前記折線（６，６’）に沿って拡開状に折り曲げた各左右の掛止板（７，７’）が前記箱体の対向する内面（１０１，１０１’）に圧接することにより、前記箱体（１００）内の任意の箇所に装着されるよう形成したことを特徴とする紙製固定具。
【請求項２】
前記固定孔（２０）が前記被収納物（２００）における前記中途部（２０１）の形状に合わせて形成されていることを特徴とする請求項１記載の紙製固定具。
【請求項３】
前記固定孔（２０）を一又は複数備えることを特徴とする請求項１又は２記載の紙製固定具。
【請求項４】
請求項１〜３の何れかに記載の紙製固定具（ａ）を備えた紙製収納箱。
【発明の詳細な説明】
【技術分野】
【０００１】
本発明は、例えばコピー機の紙送りロールのような金属製の軸体，棒状体などの、長尺物であってある程度の重量がある物品を紙箱などに収納して輸送する際、その被収納物を紙箱内に移動不能に固定するための紙製固定具に関する。
【背景技術】
【０００２】
細長く損傷し易い材料からできた物品を輸送するための紙箱として、例えば特許文献１に開示されるような緩衝機能付き収納函が知られている。
この収納函は、底板の両端部に区画部を形成すると共に、それら区画部に受け部を凹設して被収納物を移動不能に固定し、且つ底板上の左右二箇所に夫々添設した中底板、上底板、緩衝フラップなどにより緩衝機能を果たすようになっている。
【０００３】
一方、例えば特許文献２に開示されるような、板紙の要所の折り曲げと貼り着けにより組み立てられる紙製仕切り体を備えた紙箱も従来から知られている。
【０００４】
【特許文献１】特開２００１−２１６８号公報
【特許文献２】登録実用新案３０３８５７４号公報
【発明の開示】
【発明が解決しようとする課題】
【０００５】
しかし、特許文献１に開示される収納函は、主に注射器等のガラス製品の輸送に用いられ、被収納物の破損防止のために前述の区画部、中底板、上底板、緩衝フラップを夫々二箇所宛に備えているので、構成が複雑で組み立てが面倒な上、板紙の使用量も多くコスト高になるばかりか、被収納物が金属製の軸体，棒状体などである場合は十分な緩衝機能が得られないなどの問題がある。
【０００６】
また、特許文献２に開示されるような紙製仕切り体の適所に、被収納物（金属製の軸体，棒状体など）の中途部が嵌合する凹部を形成することも考えられるが、一枚の板紙からなる仕切り体では強度が低く、十分な固定、緩衝機能を得ることは困難である。強度向上の為に、複数枚の板紙を貼り着けた多層段ボール等を用いることも考えられるが、この場合も、所定サイズの複数の板紙を形成する作業、各板紙を貼り着ける作業などが別途必要になり、コスト高になるなどの問題がある。
【０００７】
本発明はこのような従来事情に鑑みてなされたもので、その目的とする処は、金属製の軸体，棒状体などの被収納物を箱体に収納して輸送する際、その被収納物を箱体内に移動不能に固定でき、且つ簡単な構造で安価に提供し得る新規な紙製固定具を提供することにある。
【課題を解決するための手段】
【０００８】
以上の目的を達成するために、本発明に係る紙製固定具は、一枚の紙製基材（ａ’）の要所の折り曲げと貼り着けにより組み立てられ、箱体（１００）の対向する内面（１０１，１０１’）間にわたって装着されて、該箱体に収納される被収納物（２００）を移動不能に固定する紙製固定具であって、
上面板（１）と、該上面板の左右両縁に折線（２，２’）を介して各々連設された左右の外面板（３，３’）と、夫々の外面板の外縁に折線（４，４’）を介して各々連設された左右の内面板（５，５’）と、前記夫々の外面板又は内面板の両側に折線（６，６’）を介して各々連設された左右の掛止板（７，７’）と、
前記一方の外面板（３）の中途部から前記上面板（１）を横切って前記他方の外面板（３’）の中途部に至る第一の開口部（８）と、前記左右の内面板における前記第一の開口部と対向する位置に各々形成された第二の開口部（９，９’）とを備え、
前記左右の内面板（５，５’）を折線（４，４’）に沿って折り曲げて前記左右の外面板と重ね合わせ、且つこれら内面板が内側になるよう前記左右の外面板（３，３’）を折線（２，２’）に沿って折り曲げると共に、対向する左右の内面板（５，５’）同士を貼り合わせて、前記上面板（１）の下方に前記各外面板（３，３’）及び内面板（５，５’）からなる四重構造の壁部（１０）を形成すると共に、
前記第一及び第二の開口部（８，９，９’）により、前記箱体に収納される被収納物（２００）の中途部（２０１）が嵌合する固定孔（２０）を形成し、
さらに、前記折線（６，６’）に沿って拡開状に折り曲げた各左右の掛止板（７，７’）が前記箱体の対向する内面（１０１，１０１’）に圧接することにより、前記箱体（１００）内の任意の箇所に装着されるよう形成したことを特徴とする。
【０００９】
前記固定孔（２０）は、前記被収納物（２００）における前記中途部（２０１）の形状に合わせて形成されていることが好ましい。
【００１０】
前記固定孔（２０）は、前記壁部（１０）に対し一箇所形成されていても良いし、複数箇所に形成されていてもよい。
【００１１】
前記紙製固定具（ａ）は、紙製の収納箱に装着して使用することが好ましい。
【発明の効果】
【００１２】
本発明は以上説明したように、左右の掛止板（７，７’）により箱体（１００）の対向する内面（１０１，１０１’）間にわたって固定される壁部（１０）に、被収納物（２００）の中途部（２０１）が嵌合する固定孔（２０）を備えた紙製固定具であり、前記壁部（１０）及び掛止板（７，７’）を、一枚の紙製基材（ａ’）の要所の折り曲げと貼り着けにより形成すると共に、左右の外面板（３，３’）の内側に左右の内面板（５，５’）を折り込むことで発生する板紙の反発力を有効に利用して、壁部（１０）の剛性を向上させることができる。
よって、一枚の紙製基材の要所の折り曲げと貼り着けにより容易に組み立てることができ、且つ金属製の軸体，棒状体などの被収納物を箱体内に移動不能に固定するに十分な強度と耐久性を備え、簡単な構造で安価に提供し得る新規な紙製固定具を提供することができた。
【発明を実施するための最良の形態】
【００１３】
以下、本発明の実施形態の例を図面に基づいて説明する。
図１には本例の紙製固定具ａを形成する紙製基材ａ’の平面図を示し、この紙製基材ａ’は、上面板１と、該上面板１の左右両縁に折線２，２’を介して各々連設された左右の外面板３，３’と、夫々の外面板３，３’の外縁に折線４，４’を介して各々連設された左右の内面板５，５’と、夫々の外面板３，３’の両側に折線６，６’を介して各々連設された左右の掛止板７，７’を有し、且つ各外面板３，３’と上面板１の幅方向略中央箇所に、一方の外面板３の中途部から上面板１を横切って他方の外面板３’の中途部に至る第一の開口部８が形成されると共に、左右の内面板５，５’における第一の開口部８と対向する位置には第二の開口部９，９’が各々形成されている。
【００１４】
紙製基材ａは、例えば単層段ボール又は多層段ボールなどの板紙を図１に示す形状に打ち抜くと共に、所定箇所に前記各折線２，２’、４，４’、６，６’を刻設することで容易に形成することができる。
【００１５】
夫々の開口部８，９，９’は、本例が対象とする被収納物２００、具体的にはコピー機の紙送りロールの中途部２０１が嵌合可能な半円状の底部８ａ，９ａ，９ａ’を備える形状に形成されている。
【００１６】
この紙製基材ａ’の要所の折り曲げと貼り着けにより、本例の紙製固定具ａを組み立てる手順を、図２を参照して説明する。
まず、（イ）に示す展開状態から、左右の内面板５，５’を折線４，４’に沿って折り曲げて左右の外面板３，３’と重ね合わせる（（ロ）参照）。
次に、これら内面板５，５’が内側になるよう、左右の外面板３，３’を折線２，２’に沿って折り曲げると共に、対向する左右の内面板５，５’同士を、ホットメルト等の接着剤で貼り合わせる（（ハ）〜（ニ）参照）。
このようにして組み立てられた紙製固定具ａは、上面板１の下方に、左右の外面板３，３’及び内面板５，５’からなる四重構造の壁部１０を備えると共に、第一及び第二の開口部８，９，９’により、図４に示す箱体１００に収納される被収納物２００の中途部２０１が嵌合する固定孔２０を、壁部１０の略中央に備える。
【００１７】
またこの紙製固定具ａは、図２（ホ）に示すように、折線６，６’に沿って各左右の掛止板７，７’を拡開状に折り曲げた後、図３に示すように、箱体１００の対向する内面１０１，１０１’に各々圧接させることにより、箱体１００内の任意の箇所に装着することができる。
【００１８】
このようにして紙製固定具ａを箱体１００内に装着した後、図４に示すように、被収納物２００を、その中途部２０１が紙製固定具ａの固定孔２０に嵌合するよう箱体１００内に収納すれば、紙製固定具ａにより被収納物２００を移動不能に固定して輸送、保管に供することができる。
【００１９】
箱体１００は、例えば紙製固定具ａと同様の板紙からなる紙製収納箱であって、本例では、一つの被収納物２００を収納可能なサイズに形成されている。
尚、箱体１００内の空隙部１０２に所望の緩衝材（不図示）を充填しても良く、また、被収納物２００の中途部２０１の外側に、紙製固定具ａに対する嵌合をより確実にするための治具３００などを別途装着しても良く、これら緩衝材や治具３００などの使用は任意である。
【００２０】
また本例では、前記各掛止板７，７’を夫々の外面板３，３’の両側に各々連設したが、夫々の内面板５，５’の両側に折線６，６’を介して連設してもよい。
【００２１】
また本例では、前記夫々の開口部８，９，９’を半円状の底部８ａ，９ａ，９ａ’を備える形状に形成したが、該形状は対象とする被収納物の中途部の形状に合せることは言うまでもなく、且つ、固定孔２０の数も本例のような一箇所に限定されず、箱体１００内に収納する被収納物の数に合せて複数備えるよう形成しても良い。
【００２２】
図５には、固定孔２０の形状と数の変更例を示す。すなわち、この例では、上面板１、左右の外面板３，３’、左右の内面板５，５’の幅方向二箇所に各々第一又は第二の開口部８，９，９’を形成して固定孔２０を左右二箇所に備えるよう構成されている。
またこの例では、夫々の開口部８，９，９’が、例えば角柱状の金属シャフトのような機械部品の中途部が嵌合可能な角形の底部８ｂ，９ｂ，９ｂ’を備える形状に形成されている。
それ以外の構成要素は図１〜図４に示す例と同様のため、図中に同一の符号を付すなどして重複する説明、図示は省略する。
【００２３】
以上、本発明の実施形態の例を図面を参照して説明したが、本発明は図示例に限定されず、特許請求の範囲に記載された技術的思想の範疇において種々の変更が可能であることは言うまでもない。
【図面の簡単な説明】
【００２４】
【図１】本発明に係る紙製固定具の実施形態の一例を示す展開図。
【図２】図１に係る紙製固定具の組み立て手順を示す斜視図。
【図３】図１に係る紙製固定具の使用状態を示す斜視図。
【図４】図３の平面図。
【図５】本発明に係る紙製固定具の実施形態の他例を示す展開図。
【符号の説明】
【００２５】
ａ：紙製固定具
ａ’：紙製基材
１：上面板
２，２’、４，４’、６，６’：折線
３，３’：外面板
５，５’：内面板
７，７’：掛止板
８：第一の開口部
９，９’：第二の開口部
１０：壁部
２０：固定孔
１００：箱体（紙製収納箱）
２００：被収納物
【図１】
2005320053.tif 000003
【図２】
2005320053.tif 000004
【図３】
2005320053.tif 000005
【図４】
2005320053.tif 000006
【図５】
2005320053.tif 000007